(57)【要約】【課題】浴槽下の清掃や点検・保守がしやすく、止水性にすぐれ、かつ美観上の問題もない浴槽のエプロン取付構造を提供する。【解決手段】床パン２２の上に設置された浴槽３と洗い場パン２０とを仕切り、浴槽３前面３ｂを隠蔽するために浴槽３側に取り付けられるエプロン１０の取付構造において、エプロン１０は、作業窓孔１ｂを開設し枠体１ａとして形成された、浴槽本体３と床パン２２と浴室壁２４とに取り付けられる内蓋１と、この内蓋１を覆うようにして、内蓋１に着脱可能に取り付けられる外蓋２とで構成されている。【選択図】図１
2006230533.tif 000002
【特許請求の範囲】
【請求項１】
床パンの上に設置された浴槽と洗い場パンとを仕切り、浴槽前面を隠蔽するために浴槽側に取り付けられるエプロンの取付構造において、
上記エプロンは、作業窓孔を開設し枠体として形成された、上記浴槽本体と洗い場パンと浴室壁とに取り付けられる内蓋と、この内蓋を覆うようにして、該内蓋に着脱可能に取り付けられる外蓋とで構成されている、浴槽のエプロン取付構造。
【請求項２】
請求項１において、
上記内蓋は、上記浴槽のフランジ部と、洗い場パンの床堰と、浴室壁とに水密的に固定され、かつ上記外蓋は、複数の片に分割されていることを特徴とする、浴槽のエプロン取付構造。
【請求項３】
請求項２において、
上記内蓋には、相互に隣接する外蓋分割片の境界部分に対応した境界枠を形成している、浴槽のエプロン取付構造。
【請求項４】
請求項１〜３のいずれかにおいて、
上記外蓋は、防水シールを介在させて、上記内蓋に覆い被せる構造にしている、浴槽のエプロン取付構造。
【請求項５】
請求項１〜４のいずれかにおいて、
上記内蓋の上記作業窓孔の外周には、外蓋側に突出するリブ縁を形成している、浴槽のエプロン取付構造。
【発明の詳細な説明】
【技術分野】
【０００１】
本発明は、浴槽と洗い場パンとを仕切るために浴槽側に取り付けられるエプロンの取付構造に関するものである。
【背景技術】
【０００２】
従来のバスユニットには、洗い場に面する浴槽前面を隠蔽して美観を良くし、かつ洗い場から浴槽が設置された床パンへの水の浸入を防止するために、浴槽と洗い場パンとを仕切るエプロンを取り付けている。つまりエプロンは、化粧板および防水壁として機能する。
【０００３】
バスユニットでは、エプロンとして、清掃や点検・保守をしやすくするために、また美観を損なわないために、ネジなど使用せずに着脱可能に簡易的に取り付けられた形態のものが使用されている。たとえば、特許文献１には、エプロン下端を床堰に取り付けた結合具に載置し、エプロン上端と浴槽フランジ部とを板バネで固定するようにした簡易的な取付方法が記載されている。
【特許文献１】特開平１１−７６０８５号公報
【発明の開示】
【発明が解決しようとする課題】
【０００４】
エプロン取付構造は、美観、止水性という条件も考慮しなければならず、着脱容易という条件を付加すれば、取付構造としては上記の文献技術程度のものに限られるが、着脱容易としたため、止水性に問題が残ってしまう。さらに、エプロンの着脱を繰り返すうちに、浴槽との取付があまくなり、それにともないさらに水密性が低下する場合もある。
【０００５】
また、上記文献技術は着脱作業性はよいが、エプロンを浴槽フランジ部に含み込ませ、床堰で支持するようにしているため、取付手順の制限もある。
【０００６】
本発明は、このような問題を解決するために提案されたもので、浴槽下の清掃や点検・保守がしやすく、止水性にすぐれ、かつ美観上にも問題のない浴槽のエプロン取付構造を提供することを目的とする。
【０００７】
また、浴槽内に気泡流を噴射する気泡浴槽では、浴槽周辺の一部に小型ポンプを取り付けたものもあり、点検・保守のため、頻繁にエプロンを取り外す必要があるが、この種の浴槽にも対応させて、作業する際にエプロンを部分的に開放できるようにすることも、本発明の目的に含まれる。
【課題を解決するための手段】
【０００８】
上記目的を達成するために、請求項１に記載の浴槽のエプロン取付構造は、床パンの上に設置された浴槽と洗い場パンとを仕切り、浴槽前面を隠蔽するために浴槽側に取り付けられるエプロンの取付構造において、エプロンは、作業窓孔を開設し枠体として形成された、浴槽本体と洗い場パンと浴室壁とに取り付けられる内蓋と、この内蓋を覆うようにして、内蓋に着脱可能に取り付けられる外蓋とで構成されている。
【０００９】
すなわち、エプロンは内蓋と外蓋の二重構造を有し、外蓋のみを容易に着脱できる構成としている。
【００１０】
請求項２では、内蓋は、浴槽のフランジ部と、洗い場パンの床堰と、浴室壁とに水密的に固定され、かつ外蓋は、複数の片に分割されていることを特徴としている。
【００１１】
請求項３では、内蓋に、外蓋が分割された箇所に対応する境界枠を形成している。
【００１２】
請求項４では、外蓋は、防水シールを介在させて、内蓋に覆い被せる構造にしている。
【００１３】
請求項５では、内蓋の作業窓孔の外周には、外蓋側に突出するリブ縁を形成している。
【発明の効果】
【００１４】
請求項１に記載の浴槽のエプロン取付構造によれば、エプロンを、作業窓孔を設けた内蓋と着脱容易な外蓋との二重構造にしているため、外蓋を取り外すだけで浴槽下の清掃や点検・保守が簡単に行え、また、作業するときでも内蓋を取り外す必要がなく、内蓋はネジ止めしておけば常に強固に固定されているので、外蓋の着脱を繰り返しても内蓋と浴槽との間の水密性は低下せず、長期間にわたって浴槽下の水垢、カビの発生を防止できる。特に、床堰と、内蓋の窓下側の外周枠とにより、より高い堰が形成されるため、高い水返し効果を期待できる。
【００１５】
また、内蓋は外蓋で覆われているため、ネジ等で固着しても美観を損なうことがなく、強固に固着しておくことができる。さらに、そのようなネジ固着は、作業窓孔より手を入れて行える。つまり、内蓋自身の取付作業も容易に行える。
【００１６】
請求項２では、外蓋が複数片で構成されているため、作業する際には作業に必要な箇所に対応する外蓋片のみを取り外せばよい。つまり、作業に不要な窓孔は開放しなくてよいため、着脱の作業性がよい。
【００１７】
また、内蓋は浴槽と床堰と浴室壁とに水密的に固定されるので、止水性は高く、さらにネジ等で固定すれば取付は安定し、不用意に外れることもない。
【００１８】
請求項３では、内蓋には、外蓋が分割された箇所に対応する境界枠を形成している。つまり、内蓋には、作業窓孔間に窓枠が設けられているため、内蓋の強度を上げることができる。
【００１９】
請求項４では、外蓋は防水シールを介在させて内蓋に覆い被せる構造であるため、止水性はきわめて高い。
【００２０】
請求項５では、内蓋の作業窓孔の外周に、外蓋側に突出するリブ縁を形成しているため、介在させる防水シールがずれずに固定できる。特に、作業窓孔の周囲枠に窓を取り囲むようにリブ縁を取り付ければ、窓孔から防水シールが抜け落ちることがない。もちろん、リブ縁は水返しとして機能し、さらに枠体を補強する効果もある。
【発明を実施するための最良の形態】
【００２１】
以下に、本発明の実施の形態を、図面とともに説明する。
【実施例１】
【００２２】
図１は、本発明の浴槽のエプロン取付構造を示した分解斜視図である。また図２は、浴槽に対してエプロンを取り付けた状態を示した斜視図である。これらの図にもとづいてエプロンの構造について説明する。なお、これらの図には、浴槽と本発明の要部であるエプロンとを示しているが、洗い場パン、浴槽を設置する床パン、洗い場からの水を堰き止める床堰については図示を省略する。
【００２３】
エプロン１０は、内蓋１と外蓋２とよりなる。つまり、エプロン１０は二重構造を有しており、内蓋１は作業窓孔１ｂを開設し枠体として形成されている一方、外蓋２はその内蓋１に着脱可能に取り付けられ、内蓋１を覆う隠蔽化粧蓋として形成されている。
【００２４】
すなわち、内蓋１の本体である枠体１ａは、窓１ｂを形成するための骨組として成形されている。本実施例では、内蓋１に３つの作業窓孔１ｂ、１ｂ、１ｂを開設しており、枠体１ａは、全周枠１ａａと、作業窓孔１ｂ、１ｂ間に形成された境界枠１ａｂ、１ａｂとにより構成されている。
【００２５】
また、内蓋１には外蓋２側に突出するリブ縁１ｃを形成している。リブ縁１ｃは、作業窓孔１ｂを直接取り囲んだ内リブ１ｃａと、さらにすべての窓を取り囲んだ外リブ１ｃｂとで構成される。このリブ縁１ｃは、内蓋１の補強、防水シールの収容のために設けられるものであるため、内蓋１と一体成形されることが望ましいが、別体であってもよい。なお、後述する図３、図４では、各構成部分をわかりやすくするために、別体として図示している。
【００２６】
また、内蓋１の境界枠１ａｂには、外蓋２の内蓋１側に向けて設けられた嵌合部材（図１には不図示）と嵌合するための嵌合孔１ｄ、１ｄ、・・・を設けている。
【００２７】
一方、外蓋２は内蓋１を覆うように方形バット状に形成され、内蓋１の作業窓孔１ｂに対応するように複数片に分割されている。本実施例では外蓋２は２片に分割されており、１片２（＃１）は２つの作業窓孔１ｂ、１ｂに、他片２（＃２）は１つの作業窓孔１ｂに対応している。
【００２８】
このような二重構造のエプロン１０は、浴槽３の前面３ｂを隠蔽するように浴槽３側に取り付けられる。具体的には、内蓋１が浴槽３のフランジ部３ａと、洗い場パンの床堰（図１では不図示）と、壁パネル２４とに水密的に固定され、さらに外蓋２が内蓋１を覆うようにして内蓋１に着脱可能に取り付けられる。
【００２９】
このように、浴槽３側に固定された内蓋１と着脱可能な外蓋２とにより、エプロン１０を二重構造にしているため、エプロン１０全体を外すことなく、外蓋２を取り外すだけで作業窓孔１ｂより浴槽下の清掃や点検・保守が簡単に行える。
【００３０】
以下、エプロン１０の取付構造について、図３、図４を参照しながら詳述する。
【００３１】
図３は、本発明の浴槽のエプロン取付構造を示した、図１のＡ−Ａ線の要部縦断面図である。また図４は、図３のＢ−Ｂ線の要部縦断面図である。
【００３２】
これらの図に示すように、浴室は、人が体や髪を洗うパン状の洗い場部Ｐと、浴槽３を床パン２２に浴槽支持台２３を介して設置した浴槽部Ｑとを含んで構成される。また、洗い場部Ｐに面する浴槽前面３ｂ側には、洗い場パン２０から床パン２２への水の浸入を防止するための床堰２１が設けられている。
【００３３】
エプロン１０は、その下端を床堰２１に、両側端を壁パネル２４にネジ６で固定される。より具体的には、内蓋１が床堰２１、壁パネル２４にネジ固定され、その内蓋１に覆い被せるように外蓋２が取り付けられる。
【００３４】
このようなネジ固定は、洗い場Ｐ側から作業窓孔１ｂに手を入れエプロン１０の内側でなされる。つまり、作業窓孔１ｂがあるため、内蓋自身の取付作業もしやすい。
【００３５】
内蓋１は、枠体１ａを板状に形成し、周縁には取付用の周壁１ｅが形成されており、その周壁１ｅを、床堰２１、壁パネル２４にネジ固着するように成形されている。なお、周壁１ｅと、床堰２１、フランジ部３ａ、壁パネル２４との間には、内蓋１の全周にわたり、止水のための防水シール５が介在される。内蓋１の上端とフランジ部３ａとの間では、防水シール５が挟持され弾圧された状態で止水を図る。
【００３６】
また、枠体１ａの周縁部と、周壁１ｅとの間には段部が形成され、床堰２１、壁パネル２４に対するネジ固着状態では、これらの被固着面との間に外蓋２の周縁に形成された周壁２ｃを受容し得る凹部１ｆが形成される。
【００３７】
また、外蓋２の内蓋１側の面には、内蓋１の境界枠１ａｂに設けた嵌合孔１ｄ（図１を参照）に対する嵌合部材２ｂを設けている。
【００３８】
この嵌合部材２ｂは、樹脂等で成形され、尖塔状に形成された差込部と爪部とを有し、嵌合孔１ｄに対して外蓋２を押し込めば、尖塔状に形成されているため容易に嵌合孔１ｄに差し込むことができ、いったん嵌め込めば爪部によって係止されるため容易には抜けないが、挿入時よりも大きな力で外蓋２を引っ張れば、爪部が弾性変形して取り外すことが可能となっている。
【００３９】
外蓋２は、周壁２ｃを内蓋１の周縁に設けた上記凹部１ｆに嵌め込むように被せるとともに、嵌合部材２ｂを嵌合孔１ｄに挿入して嵌合させ、内蓋２と重なり合う。
【００４０】
また、外蓋２と内蓋１との間には、弾性防水シール４を介在させている。この弾性防水シール４は、内蓋１の枠体１ａつまり作業窓孔１ｂ以外の部分にあてがわれ、内蓋１と外蓋２との間への水の侵入を防止する。
【００４１】
また、外蓋２を内蓋１に取り付けたときには、弾性防水シール４は、内蓋１に設けた内リブ１ｃａと外リブ１ｃｂとの間に弾性的に密着収容され、その結果、弾性防水シール材４は、エプロン１０の外周から、または窓からはみ出ることが防止される。すなわち、リブ縁１ｃは、水返しとして機能し、さらに枠体１ａを補強するとともに、弾性防水シール４の保持体としても作用する。
【００４２】
以上のように、二重構造のエプロン１０は、浴槽３の前面３ｂ側に取付固定される。
【００４３】
エプロン１０は二重構造にし、外蓋２が容易に取り外せるような構造としているが、作業するときでも内蓋１を取り外す必要がなく、内蓋１はネジ止めしておけば常に強固に固定されているので、外蓋の着脱を繰り返してもエプロンとしての水密性は低下せず、浴槽下の水垢、カビの発生を長期間に渡って防止できる。特に、ポンプ（不図示）を浴槽周辺に配置した気泡浴槽のように、頻繁に点検・保守が必要なものに有効である。
【００４４】
また、床堰２１と、内蓋１の窓下側の枠部１ａａとにより、より高い堰が形成されるため、水返し効果を高めることができる。
【００４５】
また、外蓋２を複数片で構成すれば、作業する際には作業に必要な箇所に対応する外蓋片のみを取り外せばよく、作業性がきわめてよい。
【００４６】
さらに、内蓋１に、外蓋２が分割された箇所に対応する境界枠１ａｂを形成しているため、これが骨組を補強し、内蓋１全体の強度を上げることができる。
【００４７】
上記実施例では、３つの作業窓孔１ｂ、１ｂ、１ｂに対して、外蓋２を２分割したものを例示しているが、窓ごとに３分割したものでもよいし、分割しないものであってもよい。
【００４８】
外蓋２を複数に分割されるものは、たとえば図５（ｂ）に示すようなカウンタ付きの浴室に適している。すなわち、カウンタ２６が付いている場合、非分割型のエプロンであれば、カウンタ２６を取り外さなければ外蓋２を取り外すことができず作業が困難であるが、分割されていれば、カウンタ２６以外の外蓋分割片２（＃１）を容易に取り外すことができる。なお、図５（ａ）はカウンタが付いていない浴室を示している。
【００４９】
また、気泡浴槽のように、浴槽周辺の特定箇所に設置したポンプ（不図示）を頻繁に点検する必要がある場合にも、外蓋２が分割されたものが適している。
【図面の簡単な説明】
【００５０】
【図１】本発明の浴槽のエプロン取付構造を示した分解斜視図である。
【図２】浴槽のエプロン取付後の斜視図である。
【図３】本発明の浴槽のエプロン取付構造を示す、図１のＡ−Ａ線の要部縦断面図である。
【図４】本発明の浴槽のエプロン取付構造を示す、図３のＢ−Ｂ線の要部横断面図である。
【図５】（ａ）（ｂ）は、本発明の浴槽のエプロン取付構造の使用態様２例を示す平面模式図である。
【符号の説明】
【００５１】
１０      エプロン
１      内蓋
１ａ      枠体（本体部）
１ａａ      外周枠
１ａｂ      境界枠
１ｂ      作業窓孔
１ｃ      リブ縁
１ｃａ      内リブ
１ｃｂ      外リブ
１ｄ      嵌合孔
２      外蓋
２ａ      本体
２ｂ      嵌合部材
３      浴槽
２０      洗い場パン
２１      床堰
２２      床パン
２４      壁パネル
【図１】
2006230533.tif 000003
【図２】
2006230533.tif 000004
【図３】
2006230533.tif 000005
【図４】
2006230533.tif 000006
【図５】
2006230533.tif 000007